(57)【要約】本開示は、伝送ブロックサイズ特定方法、装置および機器を提供する。本開示の伝送ブロックサイズ特定方法において、初期伝送ブロックサイズを特定することと、前記初期伝送ブロックサイズを閾値と比較して比較結果を取得することと、前記比較結果に基づいて前記初期伝送ブロックサイズを量子化し、量子化後の初期伝送ブロックサイズを取得することと、前記量子化後の初期伝送ブロックサイズに基づいて最終の伝送ブロックサイズを特定することとを含む。【選択図】図１
2020532167.tif 000002
【特許請求の範囲】
【請求項１】
初期伝送ブロックサイズを特定することと、
前記初期伝送ブロックサイズを閾値と比較して比較結果を取得することと、
前記比較結果に基づいて前記初期伝送ブロックサイズを量子化し、量子化後の初期伝送ブロックサイズを取得することと、
前記量子化後の初期伝送ブロックサイズに基づいて最終の伝送ブロックサイズを特定することとを含む、伝送ブロックサイズ特定方法。
【請求項２】
初期伝送ブロックサイズを特定することは、
スケジューリング情報を受信することと、
前記スケジューリング情報に基づいて前記初期伝送ブロックサイズを特定することとを含む、請求項１に記載の方法。
【請求項３】
初期伝送ブロックサイズを特定することは、
スケジューリング情報を受信することと、
コードワードマッピングの層数を特定することと、
前記スケジューリング情報とコードワードマッピングの層数に基づいて前記初期伝送ブロックサイズを特定することとを含む、請求項１に記載の方法。
【請求項４】
前記比較結果に基づいて前記初期伝送ブロックサイズを量子化し、量子化後の初期伝送ブロックサイズを取得することは、
2020532167.tif 000150
記載の方法。
【請求項５】
前記比較結果に基づいて前記初期伝送ブロックサイズを量子化し、量子化後の初期伝送ブロックサイズを取得することは、
比較結果として前記初期伝送ブロックサイズが前記閾値より大きくなると、
2020532167.tif 000151
）が成り立つことをさらに含む、請求項１に記載の方法。
【請求項６】
2020532167.tif 000152
、
2020532167.tif 000153
項４または５に記載の方法。
【請求項７】
2020532167.tif 000154
記閾値を示す。）より大きい、請求項４または５に記載の方法。
【請求項８】
2020532167.tif 000155
【請求項９】
2020532167.tif 000156
ある、請求項４または５に記載の方法。
2020532167.tif 000157
値である。
2020532167.tif 000158
値である。
2020532167.tif 000159
対値が最小となる値である。
【請求項１０】
2020532167.tif 000160
９に記載の方法。
【請求項１１】
2020532167.tif 000161
る、請求項４または５に記載の方法。
2020532167.tif 000162
る。
2020532167.tif 000163
る。
2020532167.tif 000164
小となることを満たす値である。
2020532167.tif 000165
元素である。）
【請求項１２】
2020532167.tif 000166
に記載の方法。
【請求項１３】
前記量子化後の初期伝送ブロックサイズに基づいて最終の伝送ブロックサイズを特定することは、
前記最終の伝送ブロックサイズが前記初期伝送ブロックサイズと伝送ブロックのＣＲＣ長との差であることを含む、請求項２に記載の方法。
【請求項１４】
前記量子化後の初期伝送ブロックサイズに基づいて最終の伝送ブロックサイズを特定することは、
前記最終の伝送ブロックサイズが前記初期伝送ブロックサイズと伝送ブロックのＣＲＣ長との差とコードワードマッピングの層数との積であることを含む、請求項３に記載の方法。
【請求項１５】
前記閾値は、コードブロックの最大長の値に等しい、請求項１に記載の方法。
【請求項１６】
2020532167.tif 000167
化することによって、前記対象元素が８の倍数となるようにすることをさらに含む、請求項４または５に記載の方法。
【請求項１７】
前記比較結果に基づいて前記初期伝送ブロックサイズを量子化し、量子化後の初期伝送ブロックサイズを取得した後に、
前記量子化後の初期伝送ブロックサイズを、８の倍数となるように量子化することをさらに含む、請求項１に記載の方法。
【請求項１８】
前記量子化後の初期伝送ブロックサイズに基づいて最終の伝送ブロックサイズを特定した後に、
前記最終の伝送ブロックサイズを、８の倍数となるように量子化することをさらに含む、請求項１に記載の方法。
【請求項１９】
プロセッサと、トランシーバと、メモリに記憶されて前記プロセッサで実行可能なプログラムを含む伝送ブロックサイズ特定装置において、
前記プロセッサは、前記プログラムを実行すると、
初期伝送ブロックサイズを特定することと、
前記初期伝送ブロックサイズを閾値と比較して比較結果を取得することと、
前記比較結果に基づいて前記初期伝送ブロックサイズを量子化し、量子化後の初期伝送ブロックサイズを取得することと、
前記量子化後の初期伝送ブロックサイズに基づいて最終の伝送ブロックサイズを特定することに用いられる、伝送ブロックサイズ特定装置。
【請求項２０】
初期伝送ブロックサイズを特定する際に、前記プロセッサは、
スケジューリング情報を受信することと、
前記スケジューリング情報に基づいて前記初期伝送ブロックサイズを特定することに用いられる、請求項１９に記載の装置。
【請求項２１】
初期伝送ブロックサイズを特定する際に、前記プロセッサは、さらに、
スケジューリング情報を受信することと、
コードワードマッピングの層数を特定することと、
前記スケジューリング情報とコードワードマッピングの層数に基づいて前記初期伝送ブロックサイズを特定することに用いられる、請求項１９に記載の装置。
【請求項２２】
前記比較結果に基づいて前記初期伝送ブロックサイズを量子化し、量子化後の初期伝送ブロックサイズを取得する際に、前記プロセッサは、
2020532167.tif 000168
項１９に記載の装置。
【請求項２３】
前記比較結果に基づいて前記初期伝送ブロックサイズを量子化し、量子化後の初期伝送ブロックサイズを取得する際に、前記プロセッサは、さらに、
比較結果として前記初期伝送ブロックサイズが前記閾値より大きくなると、
2020532167.tif 000169
）が成り立つことに用いられる、請求項１９に記載の装置。
【請求項２４】
2020532167.tif 000170
、
2020532167.tif 000171
項２２または２３に記載の装置。
【請求項２５】
2020532167.tif 000172
記閾値を示す。）より大きい、請求項２１に記載の装置。
【請求項２６】
2020532167.tif 000173
【請求項２７】
2020532167.tif 000174
ある、請求項２２または２３に記載の装置。
2020532167.tif 000175
値である。
2020532167.tif 000176
値である。
2020532167.tif 000177
対値が最小となる値である。
【請求項２８】
2020532167.tif 000178
２５に記載の装置。
【請求項２９】
2020532167.tif 000179
る、請求項２２または２３に記載の装置。
2020532167.tif 000180
る。
2020532167.tif 000181
る。
2020532167.tif 000182
小となることを満たす値である。
2020532167.tif 000183
元素である。）
【請求項３０】
2020532167.tif 000184
に記載の装置。
【請求項３１】
前記プロセッサは、さらに、
前記最終の伝送ブロックサイズを、前記初期伝送ブロックサイズと伝送ブロックのＣＲＣ長との差に特定することに用いられる、請求項１９に記載の装置。
【請求項３２】
前記プロセッサは、さらに、
前記最終の伝送ブロックサイズを、前記初期伝送ブロックサイズと伝送ブロックのＣＲＣ長との差とコードワードマッピングの層数との積に特定することに用いられる、請求項２０に記載の装置。
【請求項３３】
前記閾値は、コードブロックの最大長の値に等しい、請求項１９に記載の装置。
【請求項３４】
前記プロセッサは、さらに、
2020532167.tif 000185
化することによって、前記対象元素が８の倍数となるようにすることに用いられる、請求項２２または２３に記載の装置。
【請求項３５】
前記プロセッサは、さらに、
前記量子化後の初期伝送ブロックサイズを、８の倍数となるように量子化することに用いられる、請求項１９に記載の装置。
【請求項３６】
前記プロセッサは、さらに、
前記最終の伝送ブロックサイズを、８の倍数となるように量子化することに用いられる、請求項１９に記載の装置。
【請求項３７】
プログラムを記憶するためのコンピュータ読み取り可能な記憶媒体であって、
前記プログラムがプロセッサによって実行されると、請求項１〜１８のいずれか一項に記載の方法のステップが実現される、コンピュータ読み取り可能な記憶媒体。
【発明の詳細な説明】
【技術分野】
【０００１】  本願は、２０１７年８月４日に中国特許庁に提出された中国特許出願２０１７１０６５９７３８．２の優先権を主張し、その全ての内容が援用によりここに取り込まれる。
本開示は、通信技術分野に係り、特に伝送ブロックサイズ特定方法、装置および機器に係る。
【背景技術】
【０００２】  ＬＴＥ（Ｌｏｎｇ  Ｔｅｒｍ  Ｅｖｏｌｕｔｉｏｎ）において、データチャネルで搬送される伝送ブロックサイズは、テーブル索引方式で取得可能である。ＬＴＥのデータチャネルリソースは、ＰＲＢ（Ｐｈｙｓｉｃａｌ  Ｒｅｓｏｕｒｃｅ  Ｂｌｏｃｋ）  ｐａｉｒ（ペア）単位に割り当てられる。ＴＢＳ（Ｔｒａｎｓｐｏｒｔ  Ｂｌｏｃｋ  Ｓｉｚｅ）テーブルの設計において、各ＰＲＢ  ｐａｉｒの中でデータチャネル伝送に利用可能なＲＥ（Ｒｅｓｏｕｒｃｅ  Ｅｌｅｍｅｎｔ）の数が一定であるとしている。【０００３】  しかし、ＮＲ（Ｎｅｗ  Ｒａｄｉｏ）において、データチャネルリソースは、より柔軟に割り当てられる。たとえば、一回のスケジューリングによって、１つのスロット、１つまたは複数のシンボル、または複数のスロットのリソースが割り当てられる。ＮＲにおけるリソーススケジューリングがＬＴＥより柔軟であるため、ＬＴＥのＴＢＳ特定方法をそのまま使用することができない。【０００４】  従来技術において、スケジューリング情報に基づいてＴＢＳを動的に算出する方法が提案されている。当該方法は、リソース割り当てに基づいてＴＢＳを柔軟に算出できるが、取得されるＴＢＳが任意のバイトである可能性があるため、明らかに、ＮＲでは特定の長さのコードブロックのみに対し検査及び最適化を行うという特性に適応せず、伝送ブロックの性能を保証することができない。
【発明の概要】
【発明が解決しようとする課題】
【０００５】  これに鑑みて、本開示は、伝送ブロックサイズ特定方法、装置および機器を提供して、ＮＲシステムで伝送ブロックの性能を保証する。
【課題を解決するための手段】
【０００６】  第１方面において、本開示の実施例は、伝送ブロックサイズ特定方法を提供する。当該方法において、初期伝送ブロックサイズを特定することと、前記初期伝送ブロックサイズを閾値と比較して比較結果を取得することと、前記比較結果に基づいて前記初期伝送ブロックサイズを量子化し、量子化後の初期伝送ブロックサイズを取得することと、前記量子化後の初期伝送ブロックサイズに基づいて最終の伝送ブロックサイズを特定することとを含む。【０００７】  選択可能に、前記の初期伝送ブロックサイズを特定することは、スケジューリング情報を受信することと、前記スケジューリング情報に基づいて初期伝送ブロックサイズを特定することとを含む。【０００８】  選択可能に、前記の初期伝送ブロックサイズを特定することは、スケジューリング情報を受信することと、コードワードマッピングの層数を特定することと、前記スケジューリング情報とコードワードマッピングの層数に基づいて初期伝送ブロックサイズを特定することとを含む。【０００９】  選択可能に、前記比較結果に基づいて前記初期伝送ブロックサイズを量子化し、量子化後の初期伝送ブロックサイズを取得することは、比較結果として前記初期伝
2020532167.tif 000003
素が正整数である。）が成り立つことを含む。【００１０】  選択可能に、前記比較結果に基づいて前記初期伝送ブロックサイズを量子化し、量子化後の初期伝送ブロックサイズを取得することは、比較結果として前記初期伝
2020532167.tif 000004
前記閾値を示す。）が成り立つことをさらに含む。【００１１】
2020532167.tif 000005
である。【００１２】
2020532167.tif 000006
【００１３】
2020532167.tif 000007
【００１４】
2020532167.tif 000008
はルール３である。
2020532167.tif 000009
値である。
2020532167.tif 000010
値である。
2020532167.tif 000011
対値が最小となる値である。【００１５】
2020532167.tif 000012
。【００１６】
2020532167.tif 000013
ルール３である。
2020532167.tif 000014
る。
2020532167.tif 000015
る。
2020532167.tif 000016
小となることを満たす値である。
2020532167.tif 000017
元素である。）【００１７】
2020532167.tif 000018
。【００１８】  選択可能に、前記量子化後の初期伝送ブロックサイズに基づいて最終の伝送ブロックサイズを特定することは、前記最終の伝送ブロックサイズが前記初期伝送ブロックサイズと伝送ブロックのＣＲＣ長との差であることを含む。【００１９】  選択可能に、前記量子化後の初期伝送ブロックサイズに基づいて最終の伝送ブロックサイズを特定することは、前記最終の伝送ブロックサイズが前記初期伝送ブロックサイズと伝送ブロックのＣＲＣ長との差とコードワードマッピングの層数との積であることを含む。【００２０】  選択可能に、前記閾値は、コードブロックの最大長の値に等しい。【００２１】
2020532167.tif 000019
８の倍数ではない対象元素を量子化することによって、前記対象元素が８の倍数となるようにすることをさらに含む。【００２２】  選択可能に、前記比較結果に基づいて前記初期伝送ブロックサイズを量子化し、量子化後の初期伝送ブロックサイズを取得した後に、前記方法において、前記量子化後の初期伝送ブロックサイズを、８の倍数となるように量子化することをさらに含む。【００２３】  選択可能に、前記量子化後の初期伝送ブロックサイズに基づいて最終の伝送ブロックサイズを特定した後に、前記方法において、前記最終の伝送ブロックサイズを、８の倍数となるように量子化することをさらに含む。【００２４】  第２方面において、本開示の実施例は、プロセッサと、トランシーバと、メモリに記憶されて前記プロセッサで実行可能なプログラムを含む伝送ブロックサイズ特定装置を提供する。前記プロセッサは、前記プログラムを実行すると、初期伝送ブロックサイズを特定することと、前記初期伝送ブロックサイズを閾値と比較して比較結果を取得することと、前記比較結果に基づいて前記初期伝送ブロックサイズを量子化し、量子化後の初期伝送ブロックサイズを取得することと、前記量子化後の初期伝送ブロックサイズに基づいて最終の伝送ブロックサイズを特定することに用いられる。【００２５】  選択可能に、初期伝送ブロックサイズを特定する際に、前記プロセッサは、スケジューリング情報を受信することと、前記スケジューリング情報に基づいて初期伝送ブロックサイズを特定することに用いられる。【００２６】  選択可能に、初期伝送ブロックサイズを特定する際に、前記プロセッサは、さらに、スケジューリング情報を受信することと、コードワードマッピングの層数を特定することと、前記スケジューリング情報とコードワードマッピングの層数に基づいて初期伝送ブロックサイズを特定することに用いられる。【００２７】  選択可能に、前記比較結果に基づいて前記初期伝送ブロックサイズを量子化し、量子化後の初期伝送ブロックサイズを取得する際に、前記プロセッサは、比較結果
2020532167.tif 000020
【００２８】  選択可能に、前記比較結果に基づいて前記初期伝送ブロックサイズを量子化し、量子化後の初期伝送ブロックサイズを取得する際に、前記プロセッサは、さらに、比較結果として前記初期伝送ブロックサイズが前記閾値より大きくなると、
2020532167.tif 000021
る。【００２９】
2020532167.tif 000022
である。【００３０】
2020532167.tif 000023
【００３１】
2020532167.tif 000024
【００３２】
2020532167.tif 000025
はルール３である。
2020532167.tif 000026
値である。
2020532167.tif 000027
値である。
2020532167.tif 000028
対値が最小となる値である。【００３３】
2020532167.tif 000029
れる。【００３４】
2020532167.tif 000030
ルール３である。
2020532167.tif 000031
る。
2020532167.tif 000032
る。
2020532167.tif 000033
小となることを満たす値である。
2020532167.tif 000034
元素である。）【００３５】
2020532167.tif 000035
。【００３６】  選択可能に、前記プロセッサは、さらに、具体的に、前記最終の伝送ブロックサイズを、前記初期伝送ブロックサイズと伝送ブロックのＣＲＣ長との差に特定することに用いられる。【００３７】  選択可能に、前記プロセッサは、さらに、具体的に、前記最終の伝送ブロックサイズを、前記初期伝送ブロックサイズと伝送ブロックのＣＲＣ長との差とコードワードマッピングの層数との積に特定することに用いられる。【００３８】  選択可能に、前記閾値は、コードブロックの最大長の値に等しい。【００３９】
2020532167.tif 000036
のうち、８の倍数ではない対象元素を量子化することによって、前記対象元素が８の倍数となるようにすることに用いられる。【００４０】  選択可能に、前記プロセッサは、さらに、前記量子化後の初期伝送ブロックサイズを、８の倍数となるように量子化することに用いられる。【００４１】  選択可能に、前記プロセッサは、さらに、前記最終の伝送ブロックサイズを、８の倍数となるように量子化することに用いられる。【００４２】  第３方面において、本開示の実施例は、プログラムを記憶するためのコンピュータ読み取り可能な記憶媒体を提供する。前記プログラムがプロセッサによって実行されると、第１方面のいずれか一項に記載の方法のステップが実現される。
【図面の簡単な説明】
【００４３】
【図１】本開示の一部実施例における伝送ブロックサイズ特定方法のフローチャートである。
【図２】本開示の別の一部実施例における伝送ブロックサイズ特定方法のフローチャートである。
【図３】本開示の別の一部実施例における伝送ブロックサイズ特定方法のフローチャートである。
【図４】本開示の一部実施例における伝送ブロックサイズ特定装置の概略図である。
【図５】本開示の一部実施例における第１特定モジュールの概略図である。
【図６】本開示の別の一部実施例における第１特定モジュールの概略図である。
【図７】本開示の一部実施例における量子化処理モジュールの概略図である。
【図８】本開示の一部実施例における伝送ブロックサイズ特定装置の構造図である。
【図９】本開示の別の一部実施例における伝送ブロックサイズ特定装置の構造図である。
【図１０】本開示の別の一部実施例における伝送ブロックサイズ特定装置の構造図である。
【図１１】本開示の一部実施例における電子機器の概略図である。
【発明を実施するための形態】
【００４４】  以下、図面と実施例を通じて、本開示の具体的な実施形態をさらに詳細に記載する。以下の実施例は、本開示を説明するためのものであり、本開示の範囲を制限するために用いられるものではない。
【００４５】  図１に示すように、本開示の実施例の伝送ブロックサイズ特定方法は、ステップ１０１〜１０４を含む。
【００４６】  ステップ１０１において、初期伝送ブロックサイズを特定する。
【００４７】  本開示の実施例において、初期ＴＢＳの特定方式は、以下の２種類を含むが、それらに限られない。
方式１：ネットワーク側のスケジューリング情報を受信し、前記スケジューリング情報に基づいて初期伝送ブロックサイズを特定する。
方式２：ネットワーク側のスケジューリング情報を受信し、前記スケジューリング情報に基づいてコードワードマッピングの層数を特定し、前記スケジューリング情報とコードワードマッピングの層数に基づいて初期伝送ブロックサイズを特定する。
【００４８】  ステップ１０２において、前記初期伝送ブロックサイズを閾値と比較して比較結果を取得する。
【００４９】  本開示の実施例において、前記閾値は、コードブロックの最大長の値に等しい。もちろん、実際の必要性に応じて、閾値の値は、相応的に調整してもよい。
【００５０】  ステップ１０３において、前記比較結果に基づいて前記初期伝送ブロックサイズを量子化し、量子化後の初期伝送ブロックサイズを取得する。
【００５１】  このステップにおいて、具体的に、比較結果として前記初期伝送ブロックサイズ
2020532167.tif 000037
。）が成り立つ。比較結果として前記初期伝送ブロックサイズが前記閾値より大きく
2020532167.tif 000038
【００５２】
2020532167.tif 000039
る。
【００５３】
2020532167.tif 000040
【００５４】
2020532167.tif 000041
２、またはルール３である。
2020532167.tif 000042
値である。
2020532167.tif 000043
値である。
2020532167.tif 000044
対値が最小となる値である。
【００５５】
2020532167.tif 000045
【００５６】
2020532167.tif 000046
、またはルール３である。
2020532167.tif 000047
る。
2020532167.tif 000048
る。
2020532167.tif 000049
小となることを満たす値である。
2020532167.tif 000050
元素である。）
【００５７】
2020532167.tif 000051
【００５８】  ステップ１０４において、前記量子化後の初期伝送ブロックサイズに基づいて最終の伝送ブロックサイズを特定する。
【００５９】  コードワードが単一層にマッピングされて伝送され、または初期ＴＢＳ計算にコードワードマッピングの層数が考慮されると、前記最終の伝送ブロックサイズは、前記初期伝送ブロックサイズと伝送ブロックのＣＲＣ長との差とコードワードマッピングの層数との積である。それ以外の場合、前記最終の伝送ブロックサイズは、前記初期伝送ブロックサイズと伝送ブロックのＣＲＣ長との差である。
【００６０】  本開示の実施例の手段でＴＢＳを算出すると、ＴＢＳのコードブロック分割の後に各コードブロックの長さが等しくなることを保証し、ＮＲシステムで１つのＴＢＳから分割される複数のコードブロックに同じ性能を有することを保証する。さら
2020532167.tif 000052
び符号化、インタレースプロセスのゼロ埋め数を最小化でき、符号化／復号の複雑度を低下させるとともに、コードブロックの符号化／復号性能を最大程度で最適化する。ＮＲで十分に検査および最適化が行われたコードブロック長を集合の中の元素の値として選択することによって、ＴＢ（Ｔｒａｎｓｐｏｒｔ  Ｂｌｏｃｋ）の性能を保証することができる。
【００６１】  また、長さが整数バイトであるＴＢＳを取得するために、本開示の実施例におい
2020532167.tif 000053
子化することによって、前記対象元素が８の倍数となるようにする。または、前記量子化後の初期伝送ブロックサイズを、８の倍数となるように量子化してもよい。または、前記最終の伝送ブロックサイズを、８の倍数となるように量子化してもよい。
【００６２】  以下の実施例において、端末側の処理プロセスを例とし、本開示の実施例の実現プロセスを詳細に記載する。
【００６３】  図２に示すように、本開示の実施例の伝送ブロックサイズ特定方法は、ステップ２０１〜２０３を含む。
【００６４】  ステップ２０１において、端末側は、初期伝送ブロックサイズＴＢＳを特定し、
2020532167.tif 000054
【００６５】  具体的に、端末側は、ネットワーク側から送信されるスケジューリング情報に基
2020532167.tif 000055
ッピングの層数を考慮しないと設定する。
【００６６】  このステップにおいて、以下の方式で初期伝送ブロックサイズを特定する。
【００６７】  方式１：端末側は、ネットワーク側から送信されるスケジューリング情報に基づ
2020532167.tif 000056
初期伝送ブロックサイズを算出する。
2020532167.tif 000057
ｅ  Ｅｌｅｍｅｎｔ）の数を示し、Ｑｍは、変調次数であり、Ｒは、目標コードレ
2020532167.tif 000058
算出される。変調次数および目標コードレートは、ネットワーク側から送信されるスケジューリング情報から取得される。
【００６８】  方式２：端末側は、スケジューリング情報に基づいてテーブル索引をして初期伝
2020532167.tif 000059
【００６９】  ステップ２０２において、端末は、量子化後の伝送ブロックサイズＢを特定する。
【００７０】  具体的に、ここで、以下の方式で量子化後の伝送ブロックサイズＢを特定する。
前記初期伝送ブロックサイズを閾値と比較して比較結果を取得し、それから前記比較結果に基づいて前記初期伝送ブロックサイズを量子化し、量子化後の初期伝送ブロックサイズを取得する。
【００７１】  具体的に、
2020532167.tif 000060
好ましい。
【００７２】
2020532167.tif 000061
なることを意味する。さらに、集合の中の２つの値が同時に以上のある条件を満たした場合、大きいほうまたは小さいほうの１つの値を選択すると取り決める。
【００７３】
2020532167.tif 000062
【００７４】
2020532167.tif 000063
対値が最小となることを意味する。さらに、集合の中の２つの値が同時に以上のある条件を満たした場合、大きいほうまたは小さいほうの１つの値を選択すると取り決める。
【００７５】
2020532167.tif 000064
【００７６】  ステップ２０３において、端末側は、最終の伝送ブロックサイズを特定し、
2020532167.tif 000065
【００７７】  この実施例において、初期ＴＢＳを特定する際にコードワードマッピングの層数
2020532167.tif 000066
マッピングの層数である。
【００７８】
2020532167.tif 000067
に説明する。
【００７９】
2020532167.tif 000068
れる集合である。
【００８０】
2020532167.tif 000069
【００８１】表１：
【表１】
2020532167.tif 000070
【００８２】  コードブロックの最大長Ｙ＝８４４８とすると、
2020532167.tif 000071
【００８３】
2020532167.tif 000072
ある。
【００８４】
2020532167.tif 000073
【００８５】
2020532167.tif 000074
かつ集合の中の２つの値が同時に満足する際に大きいほうの１つの値を選択すると
2020532167.tif 000075
。
【００８６】
2020532167.tif 000076
【００８７】
2020532167.tif 000077
【００８８】  コードブロックの最大長Ｙ＝２５６０とし、ほかの仮定が上記Ｙ＝８４４８の仮定をそのまま使用すると、
2020532167.tif 000078
【００８９】
2020532167.tif 000079
。
【００９０】  最後に、量子化後の伝送ブロックサイズＢに基づいて最終の伝送ブロックサイズＢ＿ｆｉｎａｌを特定する。
【００９１】
2020532167.tif 000080
【００９２】
2020532167.tif 000081
ある。
【００９３】
2020532167.tif 000082
Ｃ  ｌｉｆｔｉｎｇサイズの集合であり、その値が以下の表２に示されている。
【００９４】表２：
【表２】
2020532167.tif 000083
【００９５】  Ｋｂは、ＢＧ（Ｂａｓｅ  Ｇｒａｇｈ）１またはＢＧ２、およびコード長さに基
2020532167.tif 000084
６６，８８，１１０，１３２，１５４，１７６，１９８，２２０，２４２，２６４，３０８，３５２，…，８４４８｝である。
【００９６】  さらに、長さが整数バイト（８の整数倍）ではない値を量子化する。たとえば、６６に対し、６４または７２に量子化する。量子化ルールは、当該数値より大きい最小整数バイトであり、または当該数値より小さい最大整数バイトであり、または、当該数値に最も近い整数バイトである。または、集合の中の非整数バイトに対しバイトの量子化を行わず、量子化後のＴＢＳに対しバイト量子化を行い、または、最終のＴＢＳに対しバイト量子化を行う。
【００９７】  ケース１のＹ＝８４４８と同じ仮定を採用する。Ｂ＿ｔｅｍｐ＝１５２６４の場
2020532167.tif 000085
４４。量子化後の伝送ブロックサイズＢ＝１５４４０である。
【００９８】  最後に、量子化後の伝送ブロックサイズＢに基づいて最終の伝送ブロックサイズＢ＿ｆｉｎａｌを特定する。
【００９９】  図３に示すように、本開示の実施例の伝送ブロックサイズ特定方法は、ステップ３０１〜３０３を含む。
【０１００】  ステップ３０１において、端末側は、初期伝送ブロックサイズＴＢＳを特定し、
2020532167.tif 000086
【０１０１】  具体的に、端末側は、ネットワーク側から送信されるスケジューリング情報に基
2020532167.tif 000087
含む。初期ＴＢＳを特定する際に、コードワードマッピングの層数を考慮する。
【０１０２】  以下、いくつかの具体的な初期ＴＢＳ取得方式を挙げる。
【０１０３】  方式１：
端末側は、ネットワーク側から送信されるスケジューリング情報に基づいて初期
2020532167.tif 000088
具体的に、端末側は、以下の式で初期伝送ブロックサイズを算出する。
2020532167.tif 000089
ｅ  Ｅｌｅｍｅｎｔ）の数を示し、Ｑｍは、変調次数であり、Ｒは、目標コードレ
2020532167.tif 000090
算出される。変調次数および目標コードレートは、ネットワーク側から送信されるスケジューリング情報から取得される。ｖは、コードワードマッピングの層数であり、ネットワーク側から送信されるスケジューリング情報から取得される。
【０１０４】  方式２：
端末側は、スケジューリング情報に基づいてテーブル索引をして初期伝送ブロッ
2020532167.tif 000091
具体的に、端末は、スケジューリング情報に基づいてテーブル索引をして直接的
2020532167.tif 000092
【０１０５】  ステップ３０２において、端末側は、初期伝送ブロックサイズＴＢＳを特定し、
2020532167.tif 000093
【０１０６】  このプロセスは、前記のステップ２０２の記載を参照されたい。
【０１０７】  ステップ３０３において、端末側は、最終の伝送ブロックサイズを特定し、
2020532167.tif 000094
【０１０８】  この実施例において、初期ＴＢＳを特定する際にコードワードマッピングの層数
2020532167.tif 000095
【０１０９】
2020532167.tif 000096
【０１１０】  本開示の実施例の伝送ブロックサイズ特定方法は、５Ｇ  ＮＲに適用する。以上の記載によると、本開示によれば、統一した式でＴＢＳを算出しかつＴＢＳのコードブロック分割の後に各コードブロックの長さが等しくなることを保証し、コード
2020532167.tif 000097
な設計によって、コードブロック分割および符号化、インタレースプロセスのゼロ埋め数を最小化でき、符号化／復号の複雑度を低下させるとともに、コードブロックの符号化／復号性能を最大程度で最適化する。ＮＲで十分に検査および最適化が行われたコードブロック長を集合の中の元素の値として選択することによって、ＴＢの性能を保証することができる。
【０１１１】  図４に示すように、本開示の実施例の伝送ブロックサイズ特定装置は、初期伝送ブロックサイズを特定するための第１特定モジュール４０１と、前記初期伝送ブロックサイズを閾値と比較して比較結果を取得するための比較モジュール４０２と、前記比較結果に基づいて前記初期伝送ブロックサイズを量子化し、量子化後の初期伝送ブロックサイズを取得するための量子化処理モジュール４０３と、前記量子化後の初期伝送ブロックサイズに基づいて最終の伝送ブロックサイズを特定するための第２特定モジュール４０４とを含む。
【０１１２】  図５に示すように、前記第１特定モジュール４０１は、スケジューリング情報を受信するための第１受信サブモジュール４０１１と、前記スケジューリング情報に基づいて初期伝送ブロックサイズを特定するための第１特定サブモジュール４０１２とを含む。
【０１１３】  図６に示すように、前記第１特定モジュール４０１は、スケジューリング情報を受信するための第２受信サブモジュール４０１３と、コードワードマッピングの層数を特定するための第２特定サブモジュール４０１４と、前記スケジューリング情報とコードワードマッピングの層数に基づいて初期伝送ブロックサイズを特定するための第３特定サブモジュール４０１５とを含む。
【０１１４】  図７に示すように、前記量子化処理モジュール４０３は、比較結果として前記初
2020532167.tif 000098
の元素が正整数である。）が成り立つための第１量子化サブモジュール４０３１と、比較結果として前記初期伝送ブロックサイズが前記閾値より大きくなると、
2020532167.tif 000099
）が成り立つための第２量子化サブモジュール４０３２とを含む。
【０１１５】
2020532167.tif 000100
る。
【０１１６】
2020532167.tif 000101
【０１１７】
2020532167.tif 000102
【０１１８】
2020532167.tif 000103
ール３である。
2020532167.tif 000104
値である。
2020532167.tif 000105
値である。
2020532167.tif 000106
対値が最小となる値である。
【０１１９】
2020532167.tif 000107
【０１２０】
2020532167.tif 000108
ル３である。
2020532167.tif 000109
る。
2020532167.tif 000110
る。
2020532167.tif 000111
小となることを満たす値である。
2020532167.tif 000112
元素である。）
【０１２１】
2020532167.tif 000113
【０１２２】  ここで、前記第２特定モジュール４０４は、具体的に、前記最終の伝送ブロックサイズを、前記初期伝送ブロックサイズと伝送ブロックのＣＲＣ長との差に特定することに用いられる。
【０１２３】  ここで、前記第２特定モジュール４０４は、具体的に、前記最終の伝送ブロックサイズを、前記初期伝送ブロックサイズと伝送ブロックのＣＲＣ長との差とコードワードマッピングの層数との積に特定することに用いられる。
【０１２４】  ここで、前記閾値は、コードブロックの最大長の値に等しい。
【０１２５】
2020532167.tif 000114
８の倍数ではない対象元素を量子化することによって、前記対象元素が８の倍数となるようにするための第１量子化モジュール４０５をさらに含む。
【０１２６】  図９に示すように、前記装置は、前記量子化後の初期伝送ブロックサイズを、８の倍数となるように量子化するための第２量子化モジュール４０６をさらに含む。
【０１２７】  図１０に示すように、前記装置は、前記最終の伝送ブロックサイズを、８の倍数となるように量子化するための第３量子化モジュール４０７をさらに含む。
【０１２８】  以上の記載によると、本開示によれば、統一した式でＴＢＳを算出しかつＴＢＳのコードブロック分割の後に各コードブロックの長さが等しくなることを保証し、
2020532167.tif 000115
合理的な設計によって、コードブロック分割および符号化、インタレースプロセスのゼロ埋め数を最小化でき、符号化／復号の複雑度を低下させるとともに、コードブロックの符号化／復号性能を最大程度で最適化する。ＮＲで十分に検査および最適化が行われたコードブロック長を集合の中の元素の値として選択することによって、ＴＢの性能を保証することができる。
【０１２９】  図１１に示すように、本開示の実施例の電子機器は、プロセッサ１１００とトランシーバ１１１０を含む。プロセッサ１１００は、メモリ１１２０からプログラムを読み取ることによって、初期伝送ブロックサイズを特定するプロセスと、前記初期伝送ブロックサイズを閾値と比較して比較結果を取得するプロセスと、前記比較結果に基づいて前記初期伝送ブロックサイズを量子化し、量子化後の初期伝送ブロックサイズを取得するプロセスと、前記量子化後の初期伝送ブロックサイズに基づいて最終の伝送ブロックサイズを特定するプロセスとを実行することに用いられる。トランシーバ１１１０は、プロセッサ１１００の制御によってデータを送受信することに用いられる。
【０１３０】  ここで、図１１において、バスアーキテクチャは、任意数の相互接続するバスとブリッジを含み、具体的に、プロセッサ１１００をはじめとする１つ又は複数のプロセッサとメモリ１１２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１１１０は、複数の部品であってもよく、即ち送信機と受信機を含み、伝送媒体でほかの各種類の装置と通信するユニットとして提供される。プロセッサ１１００は、バスアーキテクチャと通常の処理を管理する。メモリ１１２０は、プロセッサ１１００による操作実行に使用されるデータを記憶できる。
【０１３１】  プロセッサ１１００は、バスアーキテクチャと通常の処理を管理する。メモリ１１２０は、プロセッサ１１００による操作実行に使用されるデータを記憶できる。
【０１３２】  プロセッサ１１００は、さらに、前記コンピュータプログラムを読み取ることによって、スケジューリング情報を受信するステップと、前記スケジューリング情報に基づいて初期伝送ブロックサイズを特定するステップを実行することに用いられる。
【０１３３】  プロセッサ１１００は、さらに、前記コンピュータプログラムを読み取ることによって、スケジューリング情報を受信するステップと、コードワードマッピングの層数を特定するステップと、前記スケジューリング情報とコードワードマッピングの層数に基づいて初期伝送ブロックサイズを特定するステップとを実行することに用いられる。
【０１３４】  プロセッサ１１００は、さらに、前記コンピュータプログラムを読み取ることによって、比較結果として前記初期伝送ブロックサイズが前記閾値以下である場合、
2020532167.tif 000116
結果として前記初期伝送ブロックサイズが前記閾値より大きくなると、
2020532167.tif 000117
）が成り立つステップとを実行することに用いられる。
【０１３５】
2020532167.tif 000118
る。
【０１３６】
2020532167.tif 000119
【０１３７】
2020532167.tif 000120
【０１３８】
2020532167.tif 000121
ール３である。
2020532167.tif 000122
値である。
2020532167.tif 000123
値である。
2020532167.tif 000124
対値が最小となる値である。
【０１３９】
2020532167.tif 000125
。
【０１４０】
2020532167.tif 000126
ル３である。
2020532167.tif 000127
る。
2020532167.tif 000128
る。
2020532167.tif 000129
小となることを満たす値である。
2020532167.tif 000130
元素である。）
【０１４１】
2020532167.tif 000131
【０１４２】  プロセッサ１１００は、さらに、前記コンピュータプログラムを読み取ることによって、前記最終の伝送ブロックサイズが前記初期伝送ブロックサイズと伝送ブロックのＣＲＣ長との差になるステップを実行することに用いられる。
【０１４３】  プロセッサ１１００は、さらに、前記コンピュータプログラムを読み取ることによって、前記最終の伝送ブロックサイズが前記初期伝送ブロックサイズと伝送ブロックのＣＲＣ長との差とコードワードマッピングの層数との積になるステップを実行することに用いられる。
【０１４４】  ここで、前記閾値は、コードブロックの最大長の値に等しい。
【０１４５】  プロセッサ１１００は、さらに、前記コンピュータプログラムを読み取ることに
2020532167.tif 000132
を量子化することによって、前記対象元素が８の倍数となるようにするステップを実行することに用いられる。
【０１４６】  プロセッサ１１００は、さらに、前記コンピュータプログラムを読み取ることによって、前記量子化後の初期伝送ブロックサイズを、８の倍数となるように量子化するステップを実行することに用いられる。
【０１４７】  プロセッサ１１００は、さらに、前記コンピュータプログラムを読み取ることによって、前記最終の伝送ブロックサイズを、８の倍数となるように量子化するステップを実行することに用いられる。
【０１４８】  また、本開示の実施例のコンピュータ読み取り可能な記憶媒体は、コンピュータプログラムを記憶することに用いられる。前記コンピュータプログラムがプロセッサによって実行されると、以下のステップが実現される。
【０１４９】  ここで、初期伝送ブロックサイズを特定することは、スケジューリング情報を受信することと、前記スケジューリング情報に基づいて初期伝送ブロックサイズを特定することとを含む。
【０１５０】  ここで、初期伝送ブロックサイズを特定することは、スケジューリング情報を受信することと、コードワードマッピングの層数を特定することと、前記スケジューリング情報とコードワードマッピングの層数に基づいて初期伝送ブロックサイズを特定することとを含む。
【０１５１】  ここで、前記比較結果に基づいて前記初期伝送ブロックサイズを量子化し、量子化後の初期伝送ブロックサイズを取得することは、
2020532167.tif 000133
比較結果として前記初期伝送ブロックサイズが前記閾値より大きくなると、
2020532167.tif 000134
）が成り立つことを含む。
【０１５２】
2020532167.tif 000135
る。
【０１５３】
2020532167.tif 000136
【０１５４】
2020532167.tif 000137
【０１５５】
2020532167.tif 000138
ール３である。
2020532167.tif 000139
値である。
2020532167.tif 000140
値である。
2020532167.tif 000141
対値が最小となる値である。
【０１５６】
2020532167.tif 000142
。
【０１５７】
2020532167.tif 000143
ル３である。
2020532167.tif 000144
る。
2020532167.tif 000145
る。
2020532167.tif 000146
小となることを満たす値である。
2020532167.tif 000147
元素である。）
【０１５８】
2020532167.tif 000148
【０１５９】  ここで、前記量子化後の初期伝送ブロックサイズに基づいて最終の伝送ブロックサイズを特定することは、前記最終の伝送ブロックサイズが前記初期伝送ブロックサイズと伝送ブロックのＣＲＣ長との差であることを含む。
【０１６０】  ここで、前記量子化後の初期伝送ブロックサイズに基づいて最終の伝送ブロックサイズを特定することは、前記最終の伝送ブロックサイズが前記初期伝送ブロックサイズと伝送ブロックのＣＲＣ長との差とコードワードマッピングの層数との積であることを含む。
【０１６１】  ここで、前記閾値は、コードブロックの最大長の値に等しい。
【０１６２】
2020532167.tif 000149
倍数ではない対象元素を量子化することによって、前記対象元素が８の倍数となるようにすることをさらに含む。
【０１６３】  ここで、前記比較結果に基づいて前記初期伝送ブロックサイズを量子化し、量子化後の初期伝送ブロックサイズを取得した後に、前記方法において、前記量子化後の初期伝送ブロックサイズを、８の倍数となるように量子化することをさらに含む。
【０１６４】  ここで、前記量子化後の初期伝送ブロックサイズに基づいて最終の伝送ブロックサイズを特定した後に、前記方法において、前記最終の伝送ブロックサイズを、８の倍数となるように量子化することをさらに含む。
【０１６５】  本願で提供されるいくつかの実施例において、開示された方法および装置は、他の方式で実施され得ることを理解されたい。以上記載した装置実施例は、単に例示的なものである。例えば、記載したユニットの区分は、単に論理機能の区分であり、実際に実現する際に別の区分方式がある。例えば、複数のユニットまたはコンポーネントは、組み合わせてもよく、別のシステムに一体化されてもよく、または、一部の特徴は、無視されてもよく、または実行されなくてもよい。また、示されておりまたは議論されている各構成部分の相互間の結合や直接結合や通信接続は、インタフェース、装置またはユニットを介した間接結合や通信接続であってもよく、電気的、機械的、または他の形式であってもよい。
【０１６６】  また、本開示の各実施例における各機能的ユニットは、全て１つの処理ユニットに一体化されていてもよいし、別々に１つのユニットとしてもよいし、２つ以上のユニットが１つのユニットに一体化されてもよい。上述した一体化ユニットは、ハードウェアの形態、またはハードウェアとソフトウェア機能ユニットの形態で実施することができる。
【０１６７】  上述したソフトウェア機能ユニットの形態で実施される一体化ユニットは、コンピュータ読み取り可能な記憶媒体に格納されてもよい。上記ソフトウェア機能ユニットは、記憶媒体に記憶され、本開示の各実施例の送受信方法のステップの一部をコンピュータ装置（パーソナルコンピュータ、サーバ、又はネットワーク装置であってもよい）に実行させるいくつかの指令を含む。前記の記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなど、プログラムコードを格納することができる様々な媒体を含む。
【０１６８】  以上記載されたのは、本開示の選択可能な実施形態である。なお、当業者は、本開示に記載されている原理を逸脱せずに様々な改良や修飾をすることもできる。これらの改良や修飾も、本開示の保護範囲として見なされるべきである。
【図１】
2020532167.tif 000186
【図２】
2020532167.tif 000187
【図３】
2020532167.tif 000188
【図４】
2020532167.tif 000189
【図５】
2020532167.tif 000190
【図６】
2020532167.tif 000191
【図７】
2020532167.tif 000192
【図８】
2020532167.tif 000193
【図９】
2020532167.tif 000194
【図１０】
2020532167.tif 000195
【図１１】
2020532167.tif 000196
【手続補正書】
【提出日】令和2年2月5日(2020.2.5)
【手続補正１】
【補正対象書類名】特許請求の範囲
【補正対象項目名】全文
【補正方法】変更
【補正の内容】
【特許請求の範囲】
【請求項１】
初期伝送ブロックサイズを特定することと、
前記初期伝送ブロックサイズを閾値と比較して比較結果を取得することと、
前記比較結果に基づいて前記初期伝送ブロックサイズを量子化し、量子化後の初期伝送ブロックサイズを取得することと、
前記量子化後の初期伝送ブロックサイズに基づいて最終の伝送ブロックサイズを特定することとを含む、伝送ブロックサイズ特定方法。
【請求項２】
初期伝送ブロックサイズを特定することは、
スケジューリング情報を受信することと、
前記スケジューリング情報に基づいて前記初期伝送ブロックサイズを特定することとを含む、請求項１に記載の方法。
【請求項３】
初期伝送ブロックサイズを特定することは、
スケジューリング情報を受信することと、
コードワードマッピングの層数を特定することと、
前記スケジューリング情報とコードワードマッピングの層数に基づいて前記初期伝送ブロックサイズを特定することとを含む、請求項１に記載の方法。
【請求項４】
前記比較結果に基づいて前記初期伝送ブロックサイズを量子化し、量子化後の初期伝送ブロックサイズを取得することは、
比較結果として前記初期伝送ブロックサイズが前記閾値以下である場合、Ｂ＝Ｋｍ（ここで、Ｂは、量子化後の初期伝送ブロックサイズを示し、Ｋｍは、集合Ｋからの値を取り、集合Ｋの中の元素が正整数である。）が成り立つことを含み、
又は
比較結果として前記初期伝送ブロックサイズが前記閾値より大きくなると、
2020532167.tif 000197
サイズを示し、ＬＣＢは、コードブロックのＣＲＣ長を示し、Ｙは、前記閾値を示す。）が成り立つことを含む、請求項１に記載の方法。
【請求項５】
前記集合Ｋは、予め定義された集合であり、または、予め設定された集合であり、
または、前記集合Ｋは、計算パラメータに基づいて算出される集合である、請求項４に記載の方法。
【請求項６】
2020532167.tif 000198
期伝送ブロックサイズを示し、ＬＣＢは、コードブロックのＣＲＣ長を示し、Ｙは、前記閾値を示す。）より大きく、
前記集合Ｋ′は、前記集合Ｋの部分集合である、請求項４に記載の方法。
【請求項７】
Ｋｍの選択ルールとして、下記のルール１、またはルール２、またはルール３であり、
ルール１：Ｋｍの値は、集合Ｋのうち、前記初期伝送ブロックサイズ以上の最小値であり、
ルール２：Ｋｍの値は、集合Ｋのうち、前記初期伝送ブロックサイズ以下の最大値であり、
ルール３：Ｋｍの値は、集合Ｋのうち、前記初期伝送ブロックサイズとの差の絶対値が最小となる値であり、
ルール１、またはルール２、またはルール３を満たすＫｍの数が２以上であると、Ｋｍの最終値は、２以上の値のうちの最小値または最大値に特定される、請求項４に記載の方法。
【請求項８】
2020532167.tif 000199
り、
2020532167.tif 000200
り、
2020532167.tif 000201
り、
2020532167.tif 000202
小となることを満たす値であり、
2020532167.tif 000203
、コードブロックのＣＲＣ長を示し、Ｙは、前記閾値を示し、Ｋｉ′は、集合Ｋ′の中の元素であり、
2020532167.tif 000204
記載の方法。
【請求項９】
前記量子化後の初期伝送ブロックサイズに基づいて最終の伝送ブロックサイズを特定することは、
前記最終の伝送ブロックサイズが前記初期伝送ブロックサイズと伝送ブロックのＣＲＣ長との差であることを含む、請求項２に記載の方法。
【請求項１０】
前記量子化後の初期伝送ブロックサイズに基づいて最終の伝送ブロックサイズを特定することは、
前記最終の伝送ブロックサイズが前記初期伝送ブロックサイズと伝送ブロックのＣＲＣ長との差とコードワードマッピングの層数との積であることを含み、
前記閾値は、コードブロックの最大長の値に等しい、請求項３に記載の方法。
【請求項１１】
前記集合Ｋおよび／または前記集合Ｋ′のうち、８の倍数ではない対象元素を量子化することによって、前記対象元素が８の倍数となるようにすることをさらに含む、請求項４に記載の方法。
【請求項１２】
前記比較結果に基づいて前記初期伝送ブロックサイズを量子化し、量子化後の初期伝送ブロックサイズを取得した後に、
前記量子化後の初期伝送ブロックサイズを、８の倍数となるように量子化することをさらに含み、
又は
前記量子化後の初期伝送ブロックサイズに基づいて最終の伝送ブロックサイズを特定した後に、
前記最終の伝送ブロックサイズを、８の倍数となるように量子化することをさらに含む、請求項１に記載の方法。
【請求項１３】
初期伝送ブロックサイズを特定する第１特定モジュール４０１と、
前記初期伝送ブロックサイズを閾値と比較して比較結果を取得する比較モジュール４０２と、
前記比較結果に基づいて前記初期伝送ブロックサイズを量子化し、量子化後の初期伝送ブロックサイズを取得する量子化処理モジュール４０３と、
前記量子化後の初期伝送ブロックサイズに基づいて最終の伝送ブロックサイズを特定する第２特定モジュール４０４とを含む、伝送ブロックサイズ特定装置。
【請求項１４】
第１特定モジュール４０１は、
スケジューリング情報を受信する第１受信サブモジュール４０１１と、
前記スケジューリング情報に基づいて初期伝送ブロックサイズを特定する第１特定サブモジュール４０１２とを含む、請求項１３に記載の装置。
【請求項１５】
第１特定モジュール４０１は、
スケジューリング情報を受信する第２受信サブモジュール４０１３と、
コードワードマッピングの層数を特定する第２特定サブモジュール４０１４と、
前記スケジューリング情報とコードワードマッピングの層数に基づいて初期伝送ブロックサイズを特定する第３特定サブモジュール４０１５とを含む、請求項１３に記載の装置。
【国際調査報告】
2020532167.tif 000205
2020532167.tif 000206
2020532167.tif 000207
2020532167.tif 000208